(57)【要約】【課題】射撃場の雰囲気を、常に環境基準内に維持する。【解決手段】汚染発生源に向くエア吸い込み面７を備えた吸引フード６を粉塵処理装置１０に連通するフレキシブルホース５に連結して、上下方向に移動・固定可能に設け、射撃前に吸引フード６のエア吸い込み面７を銃に近接させると共に、前記吸引フード６及び前記処理装置１０・排気ブロワー９を射撃距離の長短に対応して前進又は後進・固定可能な支持架台１に搭載する一方、処理装置１０と排気ブロワー９との間に設けた定風量検知装置１１からの信号に基づき前記排気ブロワー９の吸込み容量を所定値に維持するよう制御する事を特徴とした射撃場の粉塵捕集装置。【選択図】図１
0003131397.tif 000002
【実用新案登録請求の範囲】
【請求項１】
吸引フードのエア吸い込み面を常時、汚染発生源に近接して配置するよう上下方向に移動・固定可能に設けると共に、前記吸引フードの他端をフレキシブル又は固定ダクト並びに除塵装置を介してエアポンプの吸い込み側に連通してなる射撃場の鉛ヒューム・粉塵等の捕集装置。
【請求項２】
除塵装置とエアポンプの吸い込み側との間に風量の検知装置を設け、同装置からの信号に基づき、除塵装置の目詰まりに対応して、常時、所定の吸い込み風量を維持するようエアポンプの稼働容量を制御する事を特徴とする請求項１記載の射撃場の鉛ヒューム・粉塵等の捕集装置。
【請求項３】
エアポンプの吐出側に粉塵計測装置を連結して、排気中の粉塵濃度が基準粉塵濃度を超えたときは、警報・警告を表示し、エアポンプの稼働を停止する事を特徴とする請求項１記載の射撃場の鉛ヒューム・粉塵等の捕集装置。
【請求項４】
汚染発生源を挟んで、吸引フードのエア吸い込み面に向かうプッシュ気流を形成するプッシュフードを設け、吸引フードの移動・固定に連動して上下方向に移動・固定可能にすると共に、前記プッシュフードの他端をフレキシブル又は固定ダクトを介して別のエアポンプの吐出側に連通してなる請求項１乃至３の内の何れか１項記載の射撃場の鉛ヒューム・粉塵等の捕集装置。
【請求項５】
標的と汚染発生源との距離の長短に対応して移動・固定可能な支持架台に組み込んだ１乃至複数個の吸引フードにフレキシブルダクトを介して連通する固定ダクトの他端を、前記移動・固定可能な支持架台に搭載したエアポンプの吸い込み側に除塵装置を介して連通した請求項１乃至３の内の何れか１項記載の射撃場の鉛ヒューム・粉塵等の捕集装置。
【考案の詳細な説明】
【技術分野】
【０００１】
本考案は、射撃場、殊に密閉された狭い空間を有する屋内射撃場において環境汚染を発生し勝ちな有害な粉塵の捕集装置に関する。
【背景技術】
【０００２】
クレー射撃のように、標的が広範囲に移動する場合には全空間を蔽うことが困難であるため、人里離れた場所で山腹を利用し射撃場を設置しているが、標的の移動が少なかったり、標的と射撃手との距離が短い場合は、弾丸の軌跡と安全性を配慮したり、雨天でも射撃が可能であるように、屋内射撃場としている。この種の屋内射撃場は、便宜上、交通に便利な都市又は都市に近接した地域に設置される事が一般であるが、事の性質上、射撃場には危険防止、防音対策等に留意した設備が施され、勢い、射撃場の空間は、比較的に狭く、略、密閉状態である事が多い。
【０００３】
当該場所における射撃は、射撃手の身長、射撃姿勢に応じて銃の発射位置に高さ（上下）の相違があり、又それぞれ標的に対する射撃距離の長短が選択され、その際、銃丸の材質には一般に鉛が使用されている。そこで、射撃の際、銃身に施されたライフルによって銃丸の鉛の表面が削られて粉塵（鉛ヒューム）となり、硝煙に混じって発射毎に銃の周囲に飛散し、射撃の回を重ねる毎に該粉塵が蓄積して場内の雰囲気を汚染する事が予想される。  
【０００４】
従来、射撃場の環境汚染の程度は、発射源近傍に発生する硝煙と僅かな鉛ヒュームによるもののみと考えられ、汚染物質は環境に拡散し薄められて、射撃手等に対する衛生、健康への影響は殆ど無いとの観点から、何らの対策も講じられてなかったようである。
それでも、密閉気味である室内射撃場にあっては、発射時に発生する硝煙等の回収対策として、全体換気のための排気設備が設けられていた。
【０００５】
その種射撃場ではプッシュプル換気法が採用され、例えば、常時、射撃手の下側からエアを送気し天井側で当該エアを吸い込むようにして、銃から発生する粉塵、鉛ヒューム等をエアと共に排除して、該粉塵等が場内に拡散・蓄積する事を防止する対策が取られていた。
【０００６】
然し乍ら、既設の設備は、発生する（汚染）有害物質の量より全体の排気容量を求め、汚染物質の総てを排除する設計が成されていない（そのような設計思想では、エアの処理量が大きくなり過ぎて、実用的でない）ために、発生する粉塵等を効率良く収集する事が難しく、排除を免れた汚染物質の一部が場内に蓄積して射撃場の環境は劣悪と推定されている。
【０００７】
鉛を含む粉塵が体内に蓄積されると、大別して自覚症状と他覚症状とが現れ、前者は倦怠感、筋肉痛、疲労覚、腹部の不快感、食欲不振、便秘等の症状、後者は頬の紅潮、鉛顔貌、歯鉛縁、血色素の減少等の症状が生じ、人体に悪影響を及ぼす事が知られている。
上述した環境汚染の事情は、射撃手の能力・技術の向上などに従事する施設における指導的立場の者に対しても深刻な影響を及ぼす事が予想されるだけでなく、広く、射撃場に近接した周辺地域に対しても影響を及ぼすから、早急に然るべき対策を講じなければならない。
【０００８】
この種の施設管理者は、利（使）用者に対して充分に環境基準をクリアした施設を提供する義務を負うべきである。
【特許文献１】特許公開２００７−１０３０２号公報  射撃場鉛弾環境汚染防止装置
【考案の開示】
【考案が解決しようとする課題】
【０００９】
解決しようとする問題点は、従来の射撃場に設置して、射撃手の射撃態様を制約・邪魔すること無く、広範囲、散在的に発生する有害物質等を効果的、経済的に収集・回収し、以って常時、施設の環境基準を維持し、近接した周辺地域に対して影響を及ぼすおそれがなく、利（使）用者の衛生・健康に配慮した施設を提供する事にある。
射撃場の環境基準は、着弾点（標的）付近においても、劣悪である事が予想されるから、当該周辺においても然るべき汚染物質回収装置を設置しなければ、全体の目的を達成することは困難である。
【００１０】
本考案は、射撃場において先ず、射撃手の周辺における環境基準を所定値以下に抑える為の装置を提供する事を課題とする。
以下、射撃手一人、一人について、それぞれ付設すべき装置について説明するが、一度に複数の射撃手が利用する射撃場の場合は、射撃手の人数に対応した数の装置・設備を設置する必要があろう。
【課題を解決するための手段】
【００１１】
本考案は、
（１）吸引フードのエア吸い込み面を常時、汚染発生源に近接して配置するよう上下方向に移動・固定可能に設けると共に、前記吸引フードの他端をフレキシブル又は固定ダクト並びに除塵装置を介して一個のエアポンプの吸い込み側に連通してなる射撃場の鉛ヒューム・粉塵等の捕集装置。
【００１２】
（２）除塵装置とエアポンプの吸い込み側との間に風量の検知装置を設け、同装置からの信号に基づき、除塵装置の目詰まりに対応して、常時、所定の吸い込み風量を維持するようエアポンプの稼働容量を制御する事を特徴とする上記（１）項記載の射撃場の鉛ヒューム・粉塵等の捕集装置。
（３）エアポンプの吐出側に粉塵計測装置を連結して、排気中の粉塵濃度が基準粉塵濃度を超えたときは、警報・警告を表示し、エアポンプの稼働を停止する事を特徴とする上記（１）項記載の射撃場の鉛ヒューム・粉塵等の捕集装置。
【００１３】
（４）汚染発生源を挟んで、吸引フードのエア吸い込み面に向かうプッシュ気流を形成するプッシュフードを、吸引フードの移動・固定に連動して上下方向に移動・固定可能に設けると共に、前記プッシュフードの他端をフレキシブル又は固定ダクトを介して別のエアポンプの吐出側に連通してなる上記（１）乃至（３）項の内の何れか１項記載の射撃場の鉛ヒューム・粉塵等の捕集装置。
【００１４】
（５）標的と汚染発生源との距離の長短に対応し移動・固定可能な支持架台に組み込んだ１乃至複数個の吸引フードにフレキシブルダクトを介して連通する固定ダクトの他端を、前記移動・固定可能な支持架台に搭載したエアポンプの吸い込み側に除塵装置を介して連通した上記（１）乃至（３）項の内の何れか１項記載の射撃場の鉛ヒューム・粉塵等の捕集装置。
を具備することを特徴とする。
【考案の効果】
【００１５】
少なくとも射撃前に遠隔操作して、自己の射撃姿勢を制約すること無く、かつ、身長・射撃姿勢に合わせて、吸引フードのエア吸い込み面を汚染発生源（銃）に近接して配置し、発生する鉛ヒューム、硝煙等を有効に吸引できる位置迄、前記吸引フードの移動を完了させ、発射時に銃の周辺に拡散した汚染物質を効率好く回収する事により、施設の環境を良好な状態に管理する。
また、銃を挟んだ対称位置にプッシュフードを持ち来して、汚染発生源をプッシュ気流の中に取り込んだ後に射撃を行うようにすれば、より効果的に有害物質を捕集する事ができる。
【００１６】
しかし、プッシュ装置が射撃手の邪魔とならない位置を占める事を考慮する必要がある。  発射時に銃の周辺に発生した鉛ヒューム・硝煙等は、高濃度の状態でエアの流れの中に拡散し、吸引フードの吸い込み面から少気量のエアで効率良く捕集できる事から、本考案装置は射撃場に付設した従来のプッシュプルの全体排気設備に較べて小規模で済み、設備費・ランニングコストを少なくする事ができる。
汚染物質は、ダクトを通って鉛ヒューム・粉塵等の捕集装置に回収された後、清浄なエアのみ外部に放出されるから、施設の環境を悪化させる恐れが無い。
【考案を実施するための最良の形態】
【００１７】
標的方向に遠・近接する移動・固定可能な支持架台上に、射撃手に対応する個々の吸引フード、プッシュフード及び汚染物質収集装置、エアポンプ、粉塵計測装置等を設備すれば、吸引フード、プッシュフードの設置数に対応する、エア処理装置、エアポンプ等の設備数が少なくて済むし、移動が簡単であり、又、そのメンテナンスも容易である。
【実施例１】
【００１８】
図１は、本考案の概略斜視図を示し、図中、左右側端乃至中間に適宜な高さを有する支柱Ｈを有する門型支持架台１の各支柱の下部には、それぞれ、標的方向に延びるガイドレール２に載った動力付き車輪３が施されており、前記支持架台１は、複数条のガイドレール２を跨いで横方向に伸び、射撃手の人数に応じた幅Ｗを形成して、全体として標的に近接又は遠ざかる事が可能である。支持架台１の移動・停止位置は任意で、射撃手の都合に合わせて、適宜に操作することが可能である。
【００１９】
支持架台１は、射撃直前に、動力付き車輪３を駆動して標的から所定位置まで離れた処に固定するように移動させる。
支持架台１の天井に沿ってＷ方向へ固定ダクト４を伸ばし、このダクト４の中間から、それぞれ射撃手の人数及び発射時に発生する鉛ヒューム、粉塵、硝煙等を吸引するフードが汚染発生源に近接できるスペースに合わせた間隔を置いてフレキシブルホース５を分岐して下側方に伸ばし、その端部に吸引フード６を連結する。前記吸引フード６のエア吸込み面７を汚染発生源（射撃手）に向けて配置し、かつ、吸引フード６を射撃手の採る射撃姿勢・身長に合わせて、その侭上下方向に移動可能にガイドする案内杆８を支持架台１の天井から、垂下する。
【００２０】
此処で、支持架台１の各支柱の高さ及びそれぞれの案内杆８の位置、長さは、個々の射撃手の射撃姿勢の自由を制約するものでも、邪魔をするものでもない。然しながら、案内杆８に沿って上下方向に移動する吸引フード６のエア吸込み面７は、可能な限り、汚染発生源に近接して設けるように設計されている。
【００２１】
一方、ダクト４の基端は、支持架台１の一方側の支柱Ｈに搭載したエアポンプ（本実施例では、排気ブロワー）９の吸込み側に、粉塵処理（除塵）装置１０、定風量検知装置１１等を介して連通しており、前記排気ブロワー９は射撃手の数に合わせて排気容量を変化させ、又、粉塵処理装置１０の目詰まりに対応して排気容量を維持し得るように、定風量検知装置１１からの信号に制御されるインバーターモータを用いて駆動・制御する。
【００２２】
尚、粉塵計測装置１２は、粉塵処理装置１０の下流、排気吐出側に配置されている。
前記排気ブロワー９、粉塵処理装置１０及び定風量測定装置１１等は射撃手の利用人数の多少に応じ、ブロワー９の可変容量の範囲内で処理し、それを超える部分については、対応して複数台設置する事ができる。その際は、支持架台１の片方側の支柱Ｈ基部も利用して搭載する。
以下では、個々の射撃手に対する付帯設備について説明する。
【００２３】
図２は、案内杆８、吸引フード６及びフレキシブルホース５等の組合せ構造の詳細斜視図を示す。支持架台１の天井側にはＷ方向に向かって、射撃手の間隔に吸引フード６及びフレキシブルホース５等のスペースを加えた距離毎に、それぞれ長手方向に切られたラック歯形１３を設けた案内杆８が上下方向に滑動可能なように軸止・垂下され、これに対応し、前記ラック歯形１３に噛み合うピニオンを軸止したブレーキ付き正逆転モータ１４が天井側に設置してあって、
【００２４】
個々の射撃手は、射撃前に遠隔操作によりブレーキ付きモータ１４を正逆に駆動して案内杆８を上下方向に滑動・調節し、その下端に取り付けた吸引フード６のエアー吸込み面７を、自己の身長・射撃姿勢に合わせて射撃時、把持する銃に丁度、近接する位置まで移動させる。
当該制御は例えば、有線によるスイッチ制御でも、無線で手許制御する事も自由であるが、隣と混信しない設備を整える事が大切である。
【００２５】
案内杆８の下端に取り付けた吸引フード６には、支持架台１の天井部に設置した固定ダクト４から個々に分岐したフレキシブルホース５（内側に耐圧コイルを内蔵した不通気性で可撓性材によって形成されている径、約８〜１０ｃｍのパイプ）が連結されており、案内杆８が上下方向に滑動して吸引フード６が上下に移動しても、フレキシブルホース５が伸縮するだけでダクト４と吸引フード６との連通は断たれない。
【００２６】
尚、何らかの事情で上述の遠隔制御設備を設ける事ができない射撃場においては、個々の射撃手は、射撃前に止めねじ１５を用い手動で、垂下案内杆８（この際は、案内杆８は支持架台１の天井部に固着している）下端位置に自己の射撃姿勢に合わせ、吸引フード６のエアー吸込み面中心部を、射撃の際、把持する銃に丁度近接する高さにあるよう、見繕って上下方向に微動させて固定する。このときも、フレキシブルホース５は伸縮するだけでダクト４と吸引フード６との連通は断たれない事は同様である。
【００２７】
若し、射撃手の腕の長さの長短によって、吸引フード６のエアー吸込み面中心部が把持する銃に近接する位置から若干ずれる恐れがある事を考慮するならば、図３に示すように、支持架台１の天井部に標的方向に延びるガイドレール１６を設置し、同レール１６に載った水平移動枠１７を設けると共に、同枠１７に前記案内杆８及びブレーキ付き正逆転モータ１４を設置して、この水平移動枠１７を支持架台１の移動とは独立に、支持架台１の天井部に設けたラック歯形及びこれに噛み合うピニオンを軸止したブレーキ付き正逆転モータにより遠隔制御して、標的方向に対し微移動可能とする事によって、個々の射撃手固有の長さのずれを解消することができる。
【００２８】
この時、固定ダクト４から分岐したフレキシブルホース５の本体も標的方向に対し微移動するが、ダクト分岐点から若干離れた部分で水平移動枠１７がフレキシブルホース５の本体を保持・移動すれば、その間のホース５が撓んで、追従する事ができる。勿論、水平移動枠１７に取付けた案内杆８及びブレーキ付き正逆転モータ１４も、フレキシブルホース５に追随・移動する。但し、前記案内杆８の上下移動及びブレーキ付き正逆転モータ１４の作動・効果は、これを支持架台１に設置したときと同様である。
【００２９】
尤も、個々の射撃手の銃の発射位置のずれは、予め支持架台１に印した目印に対して、自らが若干、前後に移動・調整し、この種の誤差を解消する方が、簡単かも知れない。
或いは、吸引フード６のエアー吸込み面７の開口面積を前後方向に引き延ばし、それで射撃手の個々の腕の長さの長短をカバーする事を考えても、良い。
【００３０】
尚、個々のダクト分岐点には、それぞれ、フレキシブルホース５とを連通若しくは遮断するバルブが備え付けられていて、個々の射撃手が位置に付いた個所のフレキシブルホース５のみが、ダクト４に連通するように調整されている。これに対し、射撃手が配置されない（不使用の）個所のフレキシブルホース５分岐点は、ダクト４に対して遮断され不要な吸引フード６からの排気をカットし、排気ブロワー９に無用な負担を掛けないようにしている。
【００３１】
当然の事として、排気ブロワー９の排気容量は、射撃手の数に応じて調節されなければならない。そのために、定風量検知装置により制御されるインバーターモータを用いてブロワー９を駆動している。
尚、インバーターモータの調節範囲を超えた排気容量の調整が必要であったときには、複数台設置して対応する事ができる。
【００３２】
図４は、フレキシブルホース５に連通する吸引フード６の斜視図を示すもので、図中、傾斜型エア吸い込み面７の開口面積は略、２５ｃｍ×３３ｃｍ、エア吸い込み開口面７と汚染発生源との距離を略、１２ｃｍ〜１５ｃｍと想定している。尚、開口面の周りにはフランジ２０を設け、開口面下端縁で略、直角に折り曲げ、その上面で鉛ヒュームの粗粒子を沈降・滞積さする受け皿とする併用効果を備える。この開口面傾斜型フランジ付きフードの材質は透明、軽量として射撃に支障の少ない材質を選択する。尚、フランジ２０の傾斜角θを調整ねじで変えられるようにすれば、射撃状態（位置、方法等）に対応でき、吸引フード６の吸い込み気流を最適にすることが可能である。
【００３３】
開口面７下端に続くパネルの外周には零れ防止提を設け、フード６の上下動的移動に際し、水平パネル上に滞積した鉛粗粉塵が零れないようにしている。又、前記水平パネル上、フード開口下面に滞積した鉛粗粉塵を回収処理を容易にするため、キャップ付き掃除口を水平パネル面に設置する。
これに対し、個々の吸引フード６のエア吸い込み排気量を略、６．４ｍ３／ｍｉｎとした場合（射撃手一人当りのエア吸い込み排気量）に、フレキシブルホース５の径は略、８ｃｍ〜１０ｃｍ程度を想定している。結局、排気ブロワー９の排気容量は、単位のエア吸い込み量の略、人数倍に設定される。
（上記記載の数値は、設計段階で目的に応じ若干、変更する場合もある事に注意されたい。）
【００３４】
以上の通りで、個々の射撃手の射撃姿勢と標的からの距離とに基づく吸引フード６の配置・調整機構の概略を説明した。この構成に基づき、発射時に、射撃手の自由を妨げずに、汚染発生源に概ね近接した位置に吸引フード６のエアー吸込み面７を持ち来すことが可能で、発射時に銃の周囲に発生した鉛ヒューム及び硝煙等の汚染物質は、直ちに少量のエアと共に近接した吸引フード６に吸込まれて、ダクト４を介して除塵処理装置１０に導かれて回収され、外気に拡散することは無い。尤も、排気ブロワー９は事前に所要容量だけの容量で予め駆動されている事は言うまでもない。
【００３５】
更に、汚染物質の捕集効果を高めようとするならば、射撃手の銃に対し吸引フード６と対称的な位置にプッシュフードを配備して、汚染発生源をプッシュ気流の中に取り込み、発生する汚染物質の総てを吸引フード６に送り込む事が望ましい。前記プッシュフードの構成要素は、略、吸引フード６と同様であって、唯一異なるのは、そこで取り扱う気流が、吸引フード６と逆である事である。従って、プッシュフードの取付け、移動方法・位置も、吸引フード６と同様であり、連動して配置される。
但し、プッシュフードの配置は、射撃姿勢の自由を妨げる恐れもあり得る。
【００３６】
ダクト４からの捕集汚染物質は、先ず、粉塵処理（除塵）装置１０を通ってフィルターに回収され、排気は、粉塵計測装置１１により所定の基準をクリヤーしたか否か確認した後に、ブロワー９の吐出側から排気される。
ブロワー９の稼動容量は、利用する射撃手の数に応じインバーターモータによって調節・駆動される。又、射撃手の数は、定風量検知装置の基準値を与えるものである。即ち、ブロワー９の稼動容量は、定風量検知装置からの信号に基づき、常に、射撃手当りに必要な風量の倍数に設定されている。
【００３７】
射撃手の数の変動が、一台のインバーターモータの制御の範囲を逸脱するときは、複数台を備えて、之に対応する。
フィルターが粉塵で目詰りとなり、所定の風量が引けないときにも定風量測定装置１２が作動して、インバーターモータを制御し、常時、定風量の稼動を行わせる。
勿論、前記定風量検知装置１１、又は粉塵計測装置１２が、所定置を著しく逸脱した事を検知した場合は、警告又は警報装置を作動させるか、全体装置を停止させるようにされている。
【００３８】
フィルターの交換は、先に本出願人が提案した特許第１２７９９７１号機構「放射性物質除去用フィルターチャンバー」を利用して、フィルターの汚染物質が外部に漏洩しないように処理することが出来、これによって、略、完全に汚染物質の回収が可能で、射撃場の環境汚染を防止する事を可能にする。
尚、排気ブロワー９及び駆動装置並びに粉塵処理装置１０、粉塵計測装置１２等は、纏めて支持架台１に搭載してあるので、吸引フード６が前後に移動しても、両者の繋がりが途切れる恐れが無く、一基の装置で総ての個数の吸引フード６を対象にして作動させ得るし、地上に設置したも同然であるからメンテナンスも容易である。
【００３９】
実施例１の支持架台１は、門型構造を採るが、これを逆にして天井部を地表面に合わせて設けても、作用効果上、同等である。この場合、案内杆８、吸引フード６及びフレキシブルホース５等は、地表連結部に設置したダクト４から立ち上げて設けられる。
【実施例２】
【００４０】
図５は、案内杆８、吸引フード６及びフレキシブルホース５等の組合せ構造の他の実施例の詳細斜視図を示す。
前記第１実施例においては、ラック歯形１３を切った案内杆８、ピニオンを軸止したブレーキ付き正逆転モータ１４によって吸引フード６及びフレキシブルホース５等を上下方向に移動させたが、この実施例では、吸引フード６及びフレキシブルホース５等をワイヤー１８により吊り下げ、ワイヤー１８を掛け渡したプーリー１９を廻して吸引フード６の位置及びフレキシブルホース５等を上下移動させている。
【００４１】
前記プーリー１９の回転を制御する動力源は、実施例１と同様な正逆転モータで、好ましくは、実施例１と同様な手段で遠隔制御される。
吸引フード６及びフレキシブルホース５の重さで、ワイヤー１８が張っている。
その他の構造は、第１実施例と同様である。但し、実施例２においては、吸引フード６の手動ストッパーによる上下調節は可能でない。
【産業上の利用可能性】
【００４２】
プッシュプル換気装置を備えた従来型式の室内射撃場では達成不可能であった室内雰囲気を、小規模設備を利用して環境基準をクリヤーできる程度に維持し、以って利用者の健康に配慮した施設を提供し、射撃場付近の環境に影響を与える事無く、交通に便利な都市近郊にも、この種の室内射撃場を設置することを可能にする。
【図面の簡単な説明】
【００４３】
【図１】射撃場の鉛ヒューム、粉塵等の捕集装置の実施例の全体の概略斜視図である。（実施例１，２）
【図２】吸引フード及びフレキシブルホースを上下移動・調節する機構の実施例の斜視図である。（実施例１）
【図３】吸引フード及びフレキシブルホースを微前後微調節機構の概略図である。（実施例１，２）
【図４】吸引フード及びフレキシブルホースの斜視図を示す。（実施例１，２）
【図５】吸引フード及びフレキシブルホースを上下調節する機構の他の実施例の斜視図である。（実施例２）
【符号の説明】
【００４４】
１  支持架台
２  ガイドレール
３  動力付き車輪
４  固定ダクト
５  フレキシプルホース
６  吸引フード
７  エア吸込み面
８  案内杆
９  排気ブロワー
１０  粉塵除去（処理）装置
１１  定風量検知装置
１２  粉塵計測装置
１３  ラック歯形
１４  ブレーキ付き正逆転モータ
１５  止めねじ
１６  ガイドレール
１７  水平移動枠
１８  ワイヤ
１９  プーリー
２０  フランジ
【図１】
0003131397.tif 000003
【図２】
0003131397.tif 000004
【図３】
0003131397.tif 000005
【図４】
0003131397.tif 000006
【図５】
0003131397.tif 000007
【手続補正書】
【提出日】平成19年2月19日(2007.2.19)
【手続補正１】
【補正対象書類名】明細書
【補正対象項目名】００２２
【補正方法】変更
【補正の内容】
【００２２】
尚、粉塵計測装置１２は、粉塵処理装置１０の下流、排気吐出側に配置されている。
前記排気ブロワー９、粉塵処理装置１０及び定風量検知装置１１等は射撃手の利用人数の多少に応じ、ブロワー９の可変容量の範囲内で処理し、それを超える部分については、対応して複数台設置する事ができる。その際は、支持架台１の片方側の支柱Ｈ基部も利用して搭載する。
以下では、個々の射撃手に対する付帯設備について説明する。
【手続補正２】
【補正対象書類名】明細書
【補正対象項目名】００３０
【補正方法】変更
【補正の内容】
【００３０】
尚、個々のダクト分岐点には、それぞれ、フレキシブルホース５とを連通若しくは遮断するバルブが備え付けられていて、個々の射撃手が位置に付いた個所のフレキシブルホース５のみが、ダクト４に連通するように調整されている。これに対し、射撃手が配置されない（不使用の）個所のフレキシブルホース５分岐点は、ダクト４に対して遮断され不要な吸引フード６からの排気をカットし、排気ブロワー９に無用な負担を掛けないようにしている。この場合は定風量装置の設定値を再設定する必要がある。
【手続補正３】
【補正対象書類名】明細書
【補正対象項目名】００３２
【補正方法】変更
【補正の内容】
【００３２】
図４は、フレキシブルホース５に連通する吸引フード６の斜視図を示すもので、図中、傾斜型エア吸い込み面７の開口面積は略、２５ｃｍ×３３ｃｍ、エア吸い込み開口面７と汚染発生源との距離を略、１２ｃｍ〜１５ｃｍと想定している。尚、開口面の周りにはフランジ２０を設け、開口面下端縁で略、直角に折り曲げ、その上面で鉛ヒュームの粗粒子を沈降・滞積さする受け皿とする併用効果を備える。この開口面傾斜型フランジ付きフードの材質は透明、軽量として射撃に支障の少ない材質を選択する。尚、フランジ２０の傾斜角θを調整ねじで変えられるようにすれば、射撃状態（位置、方法等）に対応でき、吸引フード６の吸い込み気流を最適にすることが可能である。更に、前記フランジ２０の形状について述べれば、図３又は２に示すように開口面の周りに板状のフランジ２０を施すだけで、相当な吸引効果を向上させることができる。
【手続補正４】
【補正対象書類名】明細書
【補正対象項目名】００３５
【補正方法】変更
【補正の内容】
【００３５】
更に、汚染物質の捕集効果を高めようとするするならば、射撃手の銃に対し吸引フード６と対称的な位置にプッシュフードを配備して、汚染発生源をプッシュ気流の中に取り込み、発生する汚染物質の総てを吸引フード６に送り込む事が望ましい。前記プッシュフードの構成要素は、略、吸引フード６と同様であって、唯一異なるのは、そこで取り扱う気流が吸引フード６と逆で、吹き出し気流を均一にする事である。従って、プッシュフードの取付け、移動方法・位置も、吸引フード６と同様であり、連動して配置される。
但し、プッシュフードの配置は、射撃姿勢の自由を妨げる恐れもあり得る。
【手続補正５】
【補正対象書類名】明細書
【補正対象項目名】００３６
【補正方法】変更
【補正の内容】
【００３６】
ダクト４からの捕集汚染物質は、先ず、粉塵処理（除塵）装置１０を通ってフィルターに回収され、排気は、粉塵計測装置１２により所定の基準をクリヤーしたか否か確認した後に、ブロワー９の吐出側から排気される。
ブロワー９の稼動容量は、利用する射撃手の数に応じインバーターモータによって調節・駆動される。又、射撃手の数は、定風量検知装置の基準値を与えるものである。即ち、ブロワー９の稼動容量は、定風量検知装置からの信号に基づき、常に、射撃手当りに必要な風量の倍数に設定されている。
【手続補正６】
【補正対象書類名】明細書
【補正対象項目名】００３７
【補正方法】変更
【補正の内容】
【００３７】
射撃手の数の変動が、一台のインバーターモータの制御の範囲を逸脱するときは、複数台を備えて、之に対応する。
フィルターが粉塵で目詰りとなり、所定の風量が引けないときにも定風量検知装置１１が作動して、インバーターモータを制御し、常時、定風量の稼動を行わせる。
勿論、前記定風量検知装置１１、又は粉塵計測装置１２が、所定値を著しく逸脱した事を検知した場合は、警告又は警報装置を作動させるか、全体装置を停止させるようにされている。